(57)【要約】エンジン始動時に、クラッチの伝達トルク容量を安定して制御可能なハイブリッド車両の始動制御装置を提供すること。エンジン（Eng）とモータ／ジェネレータ（MG）との間に第１クラッチ（CL1）が設けられ、機械式オイルポンプ（O/P）が作動液を吐出するライン圧回路（１０１）に設けられたライン圧レギュレータバルブ（１０２）から第１クラッチ（CL1）の締結圧を供給するようにしたハイブリッド車両であって、ＥＶ走行時におけるエンジン始動要求時に、第１クラッチ（CL1）を締結させてエンジン（Eng）へのトルク入力を行ってエンジン（Eng）を始動させる始動制御を実行する始動制御部が、ベルト式無段変速機（CVT）への変速機入力トルク（TQCVT）が、作動液圧に基づいて予め設定された設定入力トルク（TQa）を越えると、始動制御を実行する始動判定部（ステップＳ２）を備えていることを特徴とするハイブリッド車両の始動制御装置とした。
2014054724.tif 000002
【特許請求の範囲】
【請求項１】
エンジンの駆動力を駆動輪に伝達する駆動伝達系に設けられ、前記エンジン側と前記駆動輪側とを断接可能な第１クラッチと、
前記駆動伝達系に対して駆動力を出力可能に前記駆動伝達系において前記第１クラッチよりも前記駆動輪側に設置され、かつ、前記第１クラッチの締結状態で駆動出力して前記エンジンを始動可能なモータと、
このモータと前記駆動輪との間に介装された自動変速機と、
前記モータにより駆動されて、吐出する作動液を、ライン圧回路を介して前記自動変速機に供給する機械式ポンプと、
前記ライン圧回路に設けられ、前記自動変速機への入力トルクの増大に応じて前記ライン圧回路の作動液圧を増加させるコントロールバルブと、
前記モータの駆動によるＥＶ走行時におけるエンジン始動要求時には、前記第１クラッチを締結させて前記モータから前記エンジンへのトルク入力を行って前記エンジンを始動させる始動制御を実行する始動制御部と、
前記始動制御部に含まれ、前記自動変速機への入力トルクである変速機入力トルクを演算し、この変速機入力トルクが、前記作動液圧に基づいて予め設定された設定入力トルクを越えると、前記始動制御を実行する始動判定部と、
を備えていることを特徴とするハイブリッド車両の始動制御装置。
【請求項２】
請求項１に記載のハイブリッド車両の始動制御装置において、
前記始動判定部にて用いる前記設定入力トルクは、エンジン始動中に、前記第１クラッチに安定して前記作動液を供給可能なライン圧範囲に基づいて設定されていることを特徴とするハイブリッド車両の始動制御装置。
【請求項３】
請求項１または請求項２に記載のハイブリッド車両の始動制御装置において、
前記モータと前記自動変速機との間に、第２クラッチが介装され、
前記始動制御部は、前記始動制御中の前記第２クラッチの入力トルクの上限値を、前記変速機入力トルクが前記設定入力トルク以下となるように設定する上限値設定部を備えていることを特徴とするハイブリッド車両の始動制御装置。
【請求項４】
請求項３に記載のハイブリッド車両の始動制御装置において、
前記始動制御部は、前記始動制御中に、前記第２クラッチの入力トルクが、前記上限値設定部が設定した上限値を超えないように制御する第２クラッチトルク制御部を備えていることを特徴とするハイブリッド車両の始動制御装置。
【請求項５】
請求項３または請求項４に記載のハイブリッド車両の始動制御装置において、
前記始動判定部は、前記変速機入力トルクを、前記第２クラッチにおける伝達トルクを指令する目標第２クラッチトルク指令値と、前記自動変速機の変速比と、に基づいて演算する変速機入力トルク演算部を備えていることを特徴とするハイブリッド車両の始動制御装置。
【請求項６】
請求項１〜請求項５のいずれか１項に記載のハイブリッド車両の始動制御装置において、
前記コントロールバルブは、前記ライン圧が制御圧を越えたときに、前記作動液を前記ライン圧回路から前記第１クラッチへ前記作動液を供給する第１クラッチ液圧回路に抜くバルブであることを特徴とするハイブリッド車両の始動制御装置。
【請求項７】
請求項６に記載のハイブリッド車両の始動制御装置において、
前記第１クラッチ液圧回路には、前記第１クラッチ液圧回路の圧力を調整する第１クラッチ圧レギュレータバルブと、前記第１クラッチ液圧回路から前記第１クラッチへ作動液を給排して締結圧を制御する第１クラッチ圧力制御バルブと、を備え、
前記第１クラッチ圧レギュレータバルブは、軸方向に移動して調圧を行うスプールを備えるとともに、前記スプールは、前記第１クラッチ液圧回路の圧力を減圧する作動方向に前記第１クラッチ液圧回路のフィードバック圧を受圧する一方で、前記第１クラッチ液圧回路の圧力を増圧する作動方向に、初期付勢力および圧力制御部にて形成された制御パイロット圧を受圧することを特徴とするハイブリッド車両の始動制御装置。
【発明の詳細な説明】
【技術分野】
【０００１】
本発明は、自動変速機および駆動伝達系のクラッチへ作動液圧を供給する機械式ポンプを備えたハイブリッド車両の始動制御装置に関する。
【背景技術】
【０００２】
従来、エンジンとモータ／ジェネレータとの間に、クラッチが設けられたハイブリッド車両において、クラッチ締結状態でモータ／ジェネレータの駆動力をエンジンに入力してエンジンを始動させるハイブリッド車両の始動制御装置が知られている（例えば、特許文献１参照）。
このようなハイブリッド車両において、クラッチの締結は、モータ／ジェネレータの回転により駆動される機械式オイルポンプから供給される作動油により形成されるのが一般的である（例えば、特許文献２）。
【先行技術文献】
【特許文献】
【０００３】
【特許文献１】特開２０１０−２０１９６３号公報
【特許文献２】特開２０１０−２４１１５６号公報
【発明の概要】
【発明が解決しようとする課題】
【０００４】
上述の機械式オイルポンプを、クラッチの制御と変速機の制御との液圧源として用いた場合、変速機への入力トルク要求が大きくなって、制御圧を高くすると、クラッチの締結圧が不足し、クラッチの伝達トルク容量を安定して制御できなくなるおそれがあった。
そして、エンジン始動時に、クラッチの伝達トルク容量が安定して制御できない場合、エンジン始動性の悪化や、音・振動が発生するおそれがあった。【０００５】
本発明は、上記問題に着目してなされたもので、エンジン始動時に、クラッチの伝達トルク容量を安定して制御可能なハイブリッド車両の始動制御装置を提供することを目的としている。
【課題を解決するための手段】
【０００６】
上記目的を達成するため、本発明は、
エンジンとモータとの間にクラッチが設けられ、機械式ポンプが作動液を吐出するライン圧回路に設けられたコントロールバルブから前記クラッチの締結圧を供給するようにしたハイブリッド車両であって、
前記モータの駆動によるＥＶ走行時におけるエンジン始動要求時には、前記第１クラッチを介して前記モータから前記エンジンへのトルク入力を行って前記エンジンを始動させる始動制御を実行する始動制御部と、
前記始動制御部に含まれ、前記自動変速機への入力トルクである変速機入力トルクを演算し、この変速機入力トルクが、前記作動液圧に基づいて予め設定された設定入力トルクを越えると、前記始動制御を実行する始動判定部と、
を備えていることを特徴とするハイブリッド車両の始動制御装置とした。
【発明の効果】
【０００７】
本発明のハイブリッド車両の始動制御装置にあっては、変速機入力トルクが作動液圧に基づいて設定された設定入力トルクを越えると、エンジン始動制御を実行する。
したがって、エンジン始動制御時の変速機入力トルクを抑えることができ、ライン圧回路の作動液圧を抑えることができる。
これにより、作動液圧の増大によるクラッチ締結圧不足を抑制し、第１クラッチの伝達トルクが不安定になることを抑制し、エンジン始動性の悪化や、音・振動の発生を抑制することができる。
このように、本発明では、自動変速機への入力トルク要求が大きくなった場合でも、第１クラッチの伝達トルク容量を安定して制御可能なハイブリッド車両の始動制御装置を提供することができる。
【図面の簡単な説明】
【０００８】
【図１】実施の形態１のハイブリッド車両の始動制御装置が適用されたパラレルハイブリッド車両を示す全体システム図である。
【図２】前記ハイブリッド車両における統合コントローラで行われる演算処理を示す制御ブロック図である。
【図３】前記ハイブリッド車両における統合コントローラのモード選択部に設定されているEV-HEV選択マップの一例を示す図である。
【図４】実施の形態１のハイブリッド車両の始動制御装置が適用されたパラレルハイブリッド車両における油圧回路の要部を示す油圧回路図である。
【図５】前記油圧回路における第１クラッチへの作動油の流量を確保可能なライン圧の特性を示すライン圧特性図である。
【図６】実施の形態１のハイブリッド車両の始動制御装置におけるエンジン始動時の処理の流れを示すフローチャートである。
【図７】エンジンからベルト式無段変速機までのトルク伝達経路を模式的に拡大表示した構成概略図である。
【図８】実施の形態１のハイブリッド車両の始動制御装置の始動制御時の動作ならびに比較例の動作を説明するためのタイムチャートである。
【発明を実施するための形態】
【０００９】
以下、本発明の車両の制御装置を実施するための形態を、図面に示す実施の形態に基づいて説明する。
（実施の形態１）
まず、構成を説明する。
図１は、実施の形態１のハイブリッド車両の始動制御装置が適用されたパラレルハイブリッド車両を示す全体システム図である。以下、図１に基づいて、駆動系及び制御系の構成を説明する。
【００１０】
実施の形態１のパラレルハイブリッド車両の駆動系は、図１に示すように、エンジンEngと、第１クラッチ（クラッチ）CL1と、モータ/ジェネレータ（モータ）MGと、第２クラッチCL2と、無段変速機（ベルト式無段変速機）CVTと、ファイナルギヤFGと、左駆動輪LTと、右駆動輪RTと、を備えている。
【００１１】
実施の形態１のハイブリッド駆動系は、電気自動車走行モード（以下、「EVモード」という。）と、ハイブリッド車走行モード（以下、「HEVモード」という。）と、準電気自動車走行モード（以下、「準EVモード」という。）と、駆動トルクコントロール発進モード（以下、「WSCモード」という。）等の走行モードを有する。
【００１２】
「EVモード」は、第１クラッチCL1を開放状態とし、モータ/ジェネレータMGの動力のみで走行するモードである。
「HEVモード」は、第１クラッチCL1を締結状態とし、モータアシスト走行モード・走行発電モード・エンジン走行モードの何れかにより走行するモードである。
「準EVモード」は、第１クラッチCL1が締結状態であるがエンジンEngをOFFとし、モータ/ジェネレータMGの動力のみで走行するモードである。
「WSCモード」は、「HEVモード」からのP,N→Dセレクト発進時、または、「EVモード」や「HEVモード」からのDレンジ発進時等において、モータ/ジェネレータMGを回転数制御させることで第２クラッチCL2のスリップ締結状態を維持し、第２クラッチCL2を経過するクラッチ伝達トルクが、車両状態やドライバ操作に応じて決まる要求駆動トルクとなるようにクラッチトルク容量をコントロールしながら発進するモードである。なお、「WSC」とは「Wet Start Clutch」の略である。
【００１３】
エンジンEngは、希薄燃焼可能であり、スロットルアクチュエータによる吸入空気量とインジェクタによる燃料噴射量と、点火プラグによる点火時期の制御により、エンジントルクが指令値と一致するように制御される。
【００１４】
第１クラッチCL1は、エンジンEngとモータ/ジェネレータMGとの間の位置に介装される。この第１クラッチCL1としては、例えば、ダイアフラムスプリングによる付勢力にて常時開放（ノーマルオープン）の乾式クラッチが用いられ、エンジンEng〜モータ/ジェネレータMG間の締結／半締結／開放を行なう。この第１クラッチCL1が完全締結状態ならモータトルク＋エンジントルクが第２クラッチCL2へと伝達され、開放状態ならモータトルクのみが、第２クラッチCL2へと伝達される。なお、半締結／開放の制御は、油圧アクチュエータに対するストローク制御にて行われる。
【００１５】
モータ/ジェネレータMGは、交流同期モータ構造であり、発進時や走行時に駆動トルク制御や回転数制御を行うと共に、制動時や減速時に回生ブレーキ制御による車両運動エネルギーのバッテリBATへの回収を行なうものである。
【００１６】
第２クラッチCL2は、ベルト式無段変速機CVT及びファイナルギヤFGを介し、エンジンEng及びモータ/ジェネレータMG（第１クラッチCL1が締結されている場合）から出力されたトルクを左右駆動輪LT,RTへと伝達するものである。この第２クラッチCL2は、サンギアSG、複数のピニオンギア（図示せず）、リングギアRG、プラネットキャリアPCを備えたシングルピニオン式の遊星歯車PGと、フォワードクラッチFCと、リバースブレーキRBとを有している。
【００１７】
そして、遊星歯車PGのリングギアRGはモータ/ジェネレータMGのモータ出力軸MGoutに連結され、遊星歯車PGのサンギアSGはベルト式無段変速機CVTの変速機入力軸inputに連結されている。さらに、フォワードクラッチFCはモータ出力軸MGoutとサンギアSGとの間に介装され、リバースブレーキRBはプラネットキャリアPCと図示しないクラッチケースとの間に介装されている。
【００１８】
この第２クラッチCL2において、フォワードクラッチFCとリバースブレーキRBとを同時に開放することでトルク伝達が切断（ニュートラル状態）される。
また、フォワードクラッチFCが締結しリバースブレーキRBが開放することで、サンギアSGとモータ出力軸MGoutとが直結する。ここでリングギアRGはモータ出力軸MGoutに連結しているため、サンギアSGとリングギアRGとが同じ回転数で回転し、伝達トルクが発生すると共にモータ/ジェネレータMGの出力回転が正方向に伝達される。すなわち、フォワードクラッチFCは、モータ/ジェネレータMGの出力回転を正方向に伝達させる摩擦要素である。通常、車両発進時では、モータ/ジェネレータMGを正方向に回転させると共に、フォワードクラッチFCを締結しリバースブレーキRBを開放することで、モータ/ジェネレータMGの正方向の出力回転が反転することなく伝達されて前進する。
【００１９】
また、リバースブレーキRBが締結しフォワードクラッチFCが開放することで、プラネットキャリアPCがクラッチケースに対し固定される。すなわちプラネットキャリアPCは公転できない。そのため、モータ出力軸MGoutからリングギアRGに伝達された回転は、自転はするが公転しないプラネットキャリアPCを介してサンギアSGに伝わり、サンギアSGを逆回転させる。これにより、伝達トルクが発生すると共に、モータ/ジェネレータMGの出力回転が逆方向に伝達される。すなわち、リバースブレーキRBは、モータ/ジェネレータMGの出力回転を逆方向に伝達させる摩擦要素である。通常、車両後退時では、モータ/ジェネレータMGを正方向に回転すると共に、リバースブレーキRBを締結しフォワードクラッチFCを開放することで、モータ/ジェネレータMGの正方向の出力回転が反転して伝達されて後進（後退）する。
【００２０】
なお、フォワードクラッチFCはノーマルオープンの湿式多板クラッチであり、リバースブレーキRBはノーマルオープンの湿式多板ブレーキである。それぞれクラッチ押付力（油圧力）に応じて伝達トルク（クラッチトルク容量）が発生する。また、フォワードクラッチFC及びリバースブレーキRBは、それぞれ熱容量が小さく設定されている。
【００２１】
ベルト式無段変速機CVTは、ここでは、一対のプーリ（プライマリプーリPRI（図７参照）およびセカンダリプーリ）およびこの一対のプーリ間に掛け渡されたプーリベルトを有するベルト式無段変速機である。一対のプーリのそれぞれのプーリ幅を変更し、プーリベルトを挟持する面の径を変更して変速比（プーリ比）を自在に制御する。
【００２２】
さらに、モータ出力軸MGoutには、チェーンCHを介して機械式オイルポンプO/Pの入力ギアが接続されている。この機械式オイルポンプO/Pは、モータ/ジェネレータMGの回転駆動力によって作動するポンプであり、例えばギアポンプやベーンポンプ等が用いられる。ここで、この機械式オイルポンプO/Pは、モータ/ジェネレータMGの回転方向に拘らずオイル吐出が可能となっている。また、オイルポンプとしては、サブモータS/Mの回転駆動力によって作動する電動オイルポンプM/O/Pが設けられている。
【００２３】
そして、この機械式オイルポンプO/Pと電動オイルポンプM/O/Pは、第１,第２クラッチCL1,CL2への制御圧及びベルト式無段変速機CVTへの制御圧を作り出す油圧源となっている。この油圧源では、機械式オイルポンプO/Pからの吐出油量が十分であるときはサブモータS/Mを停止して電動オイルポンプM/O/Pを停止させ、機械式オイルポンプO/Pからの吐出油圧が低下すると、サブモータS/Mを駆動して電動オイルポンプM/O/Pのモータを作動させて電動オイルポンプM/O/Pからも作動油を吐出するように切り替えられる。
【００２４】
実施の形態１のパラレルハイブリッド車両の制御系は、図１に示すように、インバータINVと、バッテリBATと、統合コントローラ１０と、変速機コントローラ１１と、クラッチコントローラ１２と、エンジンコントローラ１３と、モータコントローラ１４と、バッテリコントローラ１５と、バッテリ電圧センサ１５ａと、バッテリ温度センサ１５ｂと、エンジン回転数センサ２１と、フォワードクラッチ温度センサ２２と、リバースブレーキ温度センサ２３と、アクセル開度センサ２４と、変速機出力回転数センサ２５と、モータ回転数センサ２６と、第２クラッチ出力回転数センサ２８と、作動油温センサ２９と、を備えている。
【００２５】
インバータINVは、直流／交流の変換を行い、モータ/ジェネレータMGの駆動電流を生成する。また生成する駆動電流の位相を逆転することでモータ/ジェネレータMGの出力回転を反転する。
バッテリBATは、モータ/ジェネレータMGからの回生エネルギーを、インバータINVを介して蓄積する。
【００２６】
統合コントローラ１０は、バッテリ状態（例えば、バッテリコントローラ１５から入力）、アクセル開度（例えば、アクセル開度センサ２４により検出）、及び車速（例えば、変速機出力回転数に同期した値、変速機出力回転数センサ２５により検出）から目標駆動トルクを演算する。そして、その結果に基づき各アクチュエータ（モータ/ジェネレータMG、エンジンEng、第１クラッチCL1、第２クラッチCL2、ベルト式無段変速機CVT）に対する指令値を演算し、各コントローラ１１〜１５へと送信する。
【００２７】
すなわち、統合コントローラ１０は、図２に示すように、目標駆動トルク演算部２１０と、モード選択部２２０と、目標発電出力演算部２３０と、動作点指令部２４０と、変速制御部２５０と、を備えている。
【００２８】
目標駆動トルク演算部２１０は、目標定常駆動トルクマップとMGアシストトルクマップを用いて、アクセル開度APOと車速VSPから、目標定常駆動トルクとMGアシストトルクを算出する。
【００２９】
モード選択部２２０は、図３に示すEV-HEV選択マップを用いて、アクセル開度APOと車速VSPから、目標走行モード（HEVモード、EVモード、WSCモード）を演算する。
このEV-HEV選択マップには、EV領域に存在する運転点（APO,VSP）が横切ると「HEVモード」へと切り替えるEV⇒HEV切替線（エンジン始動線）と、HEV領域に存在する運転点（APO,VSP）が横切ると「EVモード」へと切り替えるHEV⇒EV切替線（エンジン停止線）と、「HEVモード」の選択時に運転点（APO,VSP）がWSC領域に入ると「WSCモード」へと切り替えるHEV⇒WSC切替線と、が設定されている。前記HEV⇒EV切替線と前記HEV⇒EV切替線は、EV領域とHEV領域を分ける線としてヒステリシス量を持たせて設定されている。前記HEV⇒WSC切替線は、ベルト式無段変速機CVTが最低変速比のときに、エンジンEngがアイドル回転数を維持する第１設定車速VSP1に沿って設定されている。但し、「EVモード」の選択中、バッテリSOC（バッテリ状態を示し、バッテリ電圧およびバッテリ温度から求める）が所定値以下になると、強制的に「HEVモード」を目標走行モードとする。
したがって、モード選択部２２０が選択する運転モードが、「EVモード」から「HEVモード」に切り換わった場合に、エンジンEngの始動が行われる。
【００３０】
目標発電出力演算部２３０は、走行中発電要求出力マップを用いて、バッテリSOCから目標発電出力を演算する。また、現在のエンジン動作点（回転数、トルク）から最良燃費線までエンジントルクを上げるために必要な出力を演算し、前記目標発電出力と比較して少ない出力を要求出力として、エンジン出力に加算する。
【００３１】
動作点指令部２４０は、アクセル開度APOと目標定常トルクとMGアシストトルクと目標走行モードと車速VSPと要求発電出力とから、これらを動作点到達目標として、過渡的な目標エンジントルクと目標MGトルクと目標CL2トルクと目標変速比（目標CVTシフト）とCL1ソレノイド電流指令を演算する。
【００３２】
変速制御部２５０は、目標CL2トルク容量と目標変速比（目標CVTシフト）とから、これらを達成するようにベルト式無段変速機CVT内のソレノイドバルブを駆動制御するCVTソレノイド電流指令を演算する。
【００３３】
変速機コントローラ１１は、統合コントローラ１０からの変速指令を達成するように変速制御を行なう。変速制御は、油圧制御回路１００を介してベルト式無段変速機CVTに供給される油圧制御をすることで行われる。
クラッチコントローラ１２は、第２クラッチ入力回転数（モータ回転数センサ２６により検出）、第２クラッチ出力回転数（第２クラッチ出力回転数センサ２８により検出）、クラッチ油温（作動油温センサ２９により検出）を入力する。また、クラッチコントローラ１２は、統合コントローラ１０からの第１クラッチ油圧指令値と第２クラッチ油圧指令値に対して、油圧制御回路１００から供給されるクラッチ油圧（電流）指令値を実現するように指令油圧制御部１１０（図４参照）に設けられた図示を省略したソレノイドバルブの電流を制御する。これにより、第１クラッチCL1のクラッチストローク量が設定されるとともに、第２クラッチCL2の押付力が設定される。
【００３４】
エンジンコントローラ１３は、エンジン回転数（エンジン回転数センサ２１により検出）を入力すると共に、統合コントローラ１０からの目標エンジントルクに対応したエンジントルク指令値を達成するようにエンジントルク制御を行なう。
モータコントローラ１４は、統合コントローラ１０からの目標MGトルクに対応したモータトルク指令値やモータ回転数指令値を達成するようにモータ/ジェネレータMGの制御を行なう。
バッテリコントローラ１５は、バッテリBATの充電状態（バッテリSOC）を管理し、その情報を統合コントローラ１０へと送信する。なお、充電状態を示すバッテリSOCは、バッテリ電圧センサ１５ａが検出する電源電圧と、バッテリ温度センサ１５ｂが検出するバッテリ温度ＴempBATとに基づいて演算している。
【００３５】
（回路構成）
次に、油圧制御回路１００の回路構成について図４により説明する。
機械式オイルポンプO/Pは、ライン圧回路１０１へ作動油を吐出する。このライン圧回路１０１は、後述するライン圧レギュレータバルブ１０２により調圧されたライン圧PLを、ベルト式無段変速機CVT、第２クラッチCL2および指令油圧制御部１１０へ供給するとともに、そのドレーン作動油を第１クラッチCL1に向けて供給する。
なお、指令油圧制御部１１０は、統合コントローラ１０からのCVTソレノイド電流指令およびCL1ソレノイド電流指令により作動する図示を省略したソレノイドバルブを動作させて、指令油圧（後述するPS1,PS2,PAなど）を形成する。また、ライン圧PLは、ベルト式無段変速機CVTに対し、図示を省略したバルブを備えた調圧部１２０において目標CVTシフトに応じて形成された油圧が、プライマリプーリPRI（図７参照）を含むプーリの駆動部（図示省略）へ出力される。
【００３６】
ライン圧回路１０１には、ライン圧PLを調節するライン圧レギュレータバルブ１０２が設けられている。すなわち、ライン圧レギュレータバルブ１０２は、必要に応じて軸方向に移動することによりライン圧回路１０１を、第１クラッチ油圧回路（減圧側回路）１０４に逃がしてライン圧PLを減圧するスプール１０２ｓｐを備えている。
このスプール１０２ｓｐは、模式的に示しているが、軸方向の一方（図において右方向）にフィードバック回路１０１ｆからフィードバック圧を受ける。また、スプール１０２ｓｐは、その逆方向（図において左方向）にスプリング１０２ａの付勢力および指令油圧制御部１１０から出力される第１制御圧PS1を受ける。そして、ライン圧レギュレータバルブ１０２は、第１制御圧PS1とスプリング１０２ａの付勢力との合力に応じたライン圧PLを形成し、ライン圧PLが過剰な場合、その余剰分の作動油をライン圧回路１０１から第１クラッチ油圧回路１０４に抜く。なお、第１制御圧PS1は、統合コントローラ１０から出力されるCVTソレノイド電流指令により、ベルト式無段変速機CVTにおける入力トルクに応じたライン圧PLを形成すべく、指令油圧制御部１１０にて形成される油圧である。
【００３７】
第１クラッチ油圧回路１０４には、第１クラッチ圧レギュレータバルブ１０５と、第１クラッチ圧力制御バルブ１０６と、が設けられている。
第１クラッチ圧レギュレータバルブ１０５は、第１クラッチ油圧回路１０４の作動油圧を第１クラッチレギュレータ圧PRCLに調節するもので、図において模式的に示すスプール１０５ｓｐを備えている。
このスプール１０５ｓｐは、軸方向の一方（図において左方向）に、第１クラッチ油圧回路１０４の作動油圧をフィードバック圧としてフィードバック回路１０４ｆから受ける。また、スプール１０５ｓｐは、フィードバック圧とは逆方向（図において左方向）にスプリング１０５ａの付勢力および指令油圧制御部１１０にて形成される制御パイロット圧PAを受ける。
したがって、第１クラッチ圧レギュレータバルブ１０５は、制御パイロット圧PAとスプリング１０５ａの付勢力との合力に応じた第１クラッチレギュレータ圧PRCLを形成し、第１クラッチレギュレータ圧PRCLが過剰な場合、その余剰分の作動油をドレーン回路１０７に抜く。なお、ドレーン回路１０７に抜かれた作動油は、第１クラッチCL1の潤滑に回される。
【００３８】
第１クラッチ圧力制御バルブ１０６は、第１クラッチCL1を締結するクラッチ締結圧PCL1を形成し、このクラッチ締結圧PCL1を第１クラッチCL1に連通された第１クラッチ液圧回路としての出力回路１０８に出力する。すなわち、第１クラッチ圧力制御バルブ１０６は、図において模式的に示す軸方向に移動するスプール１０６ｓｐを備えている。
【００３９】
スプール１０６ｓｐは、軸方向の一方（図において左方向）に、スプリング１０６ａの付勢力を受け、その逆方向（図において右方向）に、指令油圧制御部１１０から出力される第２制御圧PS2およびフィードバック回路１０８ｆからのフィードバック圧を受ける。
【００４０】
したがって、第１クラッチ圧力制御バルブ１０６は、クラッチ締結圧PCL1が、第２制御圧PS2に応じた値よりも大きい場合は、出力回路１０８の作動油をドレーン回路１０７に抜く。一方、クラッチ締結圧PCL1がクラッチ制御圧PSCLに応じた値よりも小さい場合は、第１クラッチ油圧回路１０４の第１クラッチレギュレータ圧PRCLを出力回路１０８へ供給する。なお、第２制御圧PS2は、統合コントローラ１０からのCL1ソレノイド電流指令信号に応じて指令油圧制御部１１０にて形成される油圧である。
【００４１】
（ライン圧PLの設定）
次に、ライン圧PLの設定について説明する。
図５は、本実施の形態１におけるライン圧特性の説明図である。
ライン圧PLには、ライン圧上限値PLmaxおよびライン圧下限値PLminが設定されている。
すなわち、本実施の形態１では、ライン圧回路１０１のライン圧PLにより、第２クラッチCL2およびベルト式無段変速機CVTが制御されている。このため、ライン圧下限値PLminおよびライン圧上限値PLmaxは、第２クラッチCL2およびベルト式無段変速機CVTにおいて必要な作動が実行できるように設定される。
【００４２】
さらに、本実施の形態１では、これら上下限値PLmax，PLminは、第１クラッチ油圧回路１０４への流量を所定量以上確保しつつ達成できるように設定されている。以下、これについて説明する。
【００４３】
すなわち、図４に示したように、ライン圧レギュレータバルブ１０２では、ライン圧PLを第１制御圧PS1に基づいて制御する場合に、ライン圧PLを形成する余剰分の作動油が第１クラッチ油圧回路１０４に抜かれる。そして、この第１クラッチ油圧回路１０４の第１クラッチレギュレータ圧PRCLにより、クラッチ締結圧PCL1が形成される。
このため、クラッチ締結圧PCL1を形成するためには、第１クラッチ油圧回路１０４において所定以上の作動油流量Q_CL1が必要となる。
そこで、ライン圧下限値PLminおよびライン圧上限値PLmaxは、この所定以上の作動油流量Q_CL1を確保しつつ達成できるように設定されている。
【００４４】
ここで、クラッチ締結圧PCL1を形成するために最低限必要な作動油流量Q_CL1を、Ｑａ（Ｌ／ｍｉｎ）とする。また、必要充分な作動油流量Q_CL1を、Ｑｂ（Ｌ／ｍｉｎ）とする。
なお、Ｑｂ（Ｌ／ｍｉｎ）≧Ｑａ（Ｌ／ｍｉｎ）である。
【００４５】
ライン圧上限値PLmaxについて説明する。
図５において、右上に示す部分が、ライン圧上限値PLmaxのマップである。
すなわち、○を結ぶ実線の特性は、エンジンEngのアイドリング回転数相当の回転数Naにてモータ／ジェネレータMGを回転時に、上述の作動油流量Q_CL1＝Ｑｂ（Ｌ／ｍｉｎ）を確保したときのライン圧上限値PLmaxを示している。
また、△を結ぶ一点鎖線の特性は、モータ／ジェネレータMGを上述の回転数Naよりも２００ｒｐｍ程で高回転の回転数Nbにて回転時に、上述の作動油流量Q_CL1＝Ｑｂ（Ｌ／ｍｉｎ）を確保したときのライン圧上限値PLmaxを示している。
また、○を結ぶ二点差線で示す特性は、モータ／ジェネレータMGを上述の回転数Nbよりもさらに２００ｒｐｍ程高回転の回転数Ncにて回転時に、上述の作動油流量Q_CL1＝Ｑｂ（Ｌ／ｍｉｎ）を確保したときのライン圧上限値PLmaxを示している。
また、□を結ぶ点線で示す特性は、モータ／ジェネレータMGを上述の回転数Ncよりもさらに２００ｒｐｍ程高回転の回転数Ndにて回転時に、上述の作動油流量Q_CL1＝Ｑｂ（Ｌ／ｍｉｎ）を確保したときのライン圧上限値PLmaxを示している。
この上限値マップに示すように、ライン圧上限値PLmaxは、作動油温度TOILに応じ、高温になるほど低下する。
【００４６】
また、図５において下部は、ライン圧下限値PLminのマップを示している。
このライン圧下限値PLminは、モータ／ジェネレータMGの回転数に関わらず設定されている。
図において、◇を結ぶ点線で示す特性は、上述の作動油流量Q_CL1＝Ｑａ（Ｌ／ｍｉｎ）を確保したときのライン圧下限値PLminを示している。そして、この特性に基づいて、必要ライン圧PLのばらつきを考慮したマージンを確保したライン圧下限値PLmin特性を、◇を直線で結んだ線にて示している。
【００４７】
また、ライン圧レギュレータバルブ１０２では、第１クラッチ油圧回路１０４に作動液流量を確保できるストローク量が存在する。すなわち、スプール１０２ｓｐが減圧方向にストロークして、第１クラッチ油圧回路１０４を所定量以上開いた位置で、第１クラッチ油圧回路１０４に作動液流量を確保できる。
したがって、そのスプール位置に応じたライン圧PLを求めることができる。また、このライン圧PLから、ベルト式無段変速機CVTにおける設定入力トルクTQaが設定される。この設定入力トルクTQaに制御した際のライン圧PLが、設定入力トルク時ライン圧PLaである。
前述したライン圧下限値PLminは、この設定入力トルク時ライン圧PLaよりも高圧側に設定されている。
したがって、ライン圧PLは、上述のライン圧上限値PLmaxと、ライン圧下限値PLminとの間であれば、上述の作動油流量Q_CL1＝Ｑａ（Ｌ／ｍｉｎ）以上を確保できる。
【００４８】
（エンジン始動制御）
次に、ＥＶ走行状態からＨＥＶ走行状態に移行する場合の入力トルク対応エンジン始動制御について説明する。
【００４９】
前述したように、エンジン始動は、図３に示すEV-HEV選択マップを用いて、モード選択部２２０が選択する運転モードが、「EVモード」から「HEVモード」に切り換わった場合に、エンジンEngの始動が行われる。
さらに、本実施の形態１では、これと並列に、ベルト式無段変速機CVTにおける入力トルクである変速機入力トルクTQCVTに応じた始動制御も実施されるものであり、何れか一方によるエンジン始動判定が成されると、エンジン始動が実行される。
【００５０】
以下に、図６のフローチャートに基づいて、変速機入力トルクTQCVTに応じたエンジン始動制御について説明する。
ステップＳ１では、変速機入力トルクTQCVTを演算し、変速機入力トルクTQCVTが、設定入力トルクTQaを越えたか否か判定し、越えた場合には、非始動と判定して、ステップＳ１の判定を繰り返す。一方、変速機入力トルクTQCVTが、設定入力トルクTQaを越えた場合は、ステップＳ２のエンジン始動制御を開始する。
【００５１】
ここで、変速機入力トルクTQCVT について説明する。
図７は、エンジンEngからベルト式無段変速機CVTまでのトルク伝達経路を模式的に拡大表示している。
すなわち、エンジンEngとモータ／ジェネレータMGとの間に第１クラッチCL1が設けられ、モータ／ジェネレータMGとベルト式無段変速機CVTとの間に、第２クラッチCL2が設けられている。ここで、モータ／ジェネレータMGの出力トルクは、エンジン始動時には、その一部がクランキングトルクTQcrとして使用され、残りが、目標CL2トルクTQCL2として第２クラッチCL2を介してベルト式無段変速機CVT のプライマリプーリPRIに入力され、車両の駆動トルクとなる。
【００５２】
第２クラッチCL2は、遊星歯車PGを備えており、前進時および後退時において、所定のギア比でトルク伝達される。このため、ステップＳ１において、変速機入力トルクTQCVTは、目標CL2トルクTQCL2にその時点の第２クラッチCL2のギア比ｇｒを乗算して演算する。ここで、前進時のギア比ｇｒｆ、後退時のギア比ｇｒｒとすると、変速機入力トルクTQCVTは、下記の式（１）、式（２）により求められる。
（前進時）TQCVT＝TQCL2×ｇｒｆ  ・・・（１）
（後退時）TQCVT＝TQCL2×ｇｒｒ  ・・・（２）
なお、ステップＳ２のエンジン始動制御では、周知のように、第２クラッチCL2をスリップさせながら、モータ／ジェネレータMGの出力を、クランキングトルク(TQcr)分を加算して上昇させ、かつ、第１クラッチCL1をスリップ状態で締結方向に制御する。
ステップＳ２の処理に続くステップＳ３では、目標CL2トルクTQCL2の上限値を、設定入力トルクTQaをギア比ｇｒ（ｇｒｆまたはｇｒｒ）により除算した値に設定しステップＳ４に進む。
【００５３】
ステップＳ４では、エンジンEngが完爆状態になったか否かに基づいて、完爆状態になったら、始動完了としてエンドに進み、完爆状態に至っていない場合は、ステップＳ３の判定を繰り返す。
なお、エンジンEngの完爆状態の判定では、エンジン回転数EN(ｒｐｍ)が、予め設定されたエンジンEngの完爆を示す完爆判定値を、設定時間を越えて継続した場合に、完爆と判定する。
【００５４】
（実施の形態１の作用）
次に、図８のタイムチャートに基づいて実施の形態１の作用を説明する。
＜比較例＞
ここで、本実施の形態１と比較するために、本願発明を適用しない従来技術の場合の動作例をまず説明する。
図８では、ｔ０の時点では、アイドリングストップを行ってエンジンEngを停止しており、走行モードとしてはEVモードに制御されている。そして、ｔ１の時点で、ドライバが発進加速操作を行い、ドライバ要求トルクが上昇する。
【００５５】
このドライバ要求トルクの上昇に応じ、図８では、ｔ０２の時点でエンジン始動判定が成される。なお、この始動判定は、比較例では、図３に示したEV-HEV選択マップおよびアクセル開度APOと車速VSPとに基づいて成される。
【００５６】
このようにｔ０２の時点でエンジン始動判定が成されると、EVモードからHEVモードに移行すべく、動作点指令部２４０からモータ／ジェネレータMGに向けて目標MGトルク指令値が出力され、目標MGトルクにクランキングトルクTQcr分の上乗せが成される。それと同時に、第２クラッチCL2をスリップさせて、モータ／ジェネレータMGのトルク変動が駆動輪側に伝達されないようにしつつ、第１クラッチCL1を開放状態から締結状態へ徐々に変化させて、エンジン回転数ENを上昇させる。
【００５７】
タイムチャートでは、ｔ０２の時点からｔ３の時点の間が、エンジン始動中であり、ｔ３の時点で、エンジン回転数ENが完爆判定値を越えた状態が設定時間継続されて、エンジンEngの始動が完了する。
このエンジン始動後は、第１クラッチCL1および第２クラッチCL2を締結し、エンジンEngとモータ／ジェネレータMGの出力トルクの合力が、ベルト式無段変速機CVTに入力される。
【００５８】
ここで、比較例では、目標CL2トルクTQCL2は、図８において点線にて示すように、ドライバ要求トルクに応じ、時間経過とともに上昇させるよう制御する。
【００５９】
この場合、ベルト式無段変速機CVTにおける変速機入力トルクTQCVTは、目標CL2トルクTQCL2にギア比ｇｒを乗算した値となる。このように、ドライバ要求トルクに応じ、ベルト式無段変速機CVTに高トルク入力を要求すると、それに応じてライン圧PLも高く制御する必要がある。
【００６０】
そして、ライン圧PLを上昇させた場合、油圧制御回路１００では、ライン圧レギュレータバルブ１０２から第１クラッチ油圧回路１０４へ抜かれる作動油流量Q_CL1が減少し、第１クラッチCL1の締結圧を安定して制御できなくなる場合が生じる。
すなわち、第１クラッチ油圧回路１０４の流量が絞られた場合、第１クラッチ圧レギュレータバルブ１０５のスプール１０５ｓｐでは、一方に受ける制御パイロット圧PAが変化しないのに対し、フィードバック回路１０４ｆからのフィードバック圧が低下する。このため、第１クラッチ圧レギュレータバルブ１０５では、第１クラッチ油圧回路１０４を急増圧するように動作する。そして、この第１クラッチ油圧回路１０４の急増圧が、締結圧を徐々に増圧させる動作中の第１クラッチ圧力制御バルブ１０６を介して、出力回路１０８に伝達されて、締結圧の急増圧を招くことになる。さらに、第１クラッチ圧力制御バルブ１０６では、上述の締結圧の急増圧に対応するフィードバック動作により、この締結圧を急低下する動作も生じる。このように、出力回路１０８では、圧力の急変動（サージ圧）が発生する。
【００６１】
そして、エンジン始動中に、このようなサージ圧が発生した場合、第１クラッチCL1では、一時的に急な締結および開放動作が発生する。このため、モータ回転数が一時的に引き込まれる現象が生じ、エンジン始動性が悪化するとともに、車速の変化を招き、車両において音や振動が発生する。
【００６２】
＜実施の形態１の動作＞
上記比較例の動作に対し、実施の形態１では、上記のエンジン始動性の悪化および音や振動の発生を抑制することができるものであり、これを図８のタイムチャートに基づいて以下に説明する。
本実施の形態１の場合、変速機入力トルクTQCVTが、設定入力トルクTQaを越えた時点で、エンジン始動判定が成される。この変速機入力トルクTQCVTが、設定入力トルクTQaを越えた時点は、目標CL2トルクTQCL2が、設定入力トルクTQaをギア比ｇｒにて除算した値を超えた時点であって、図においてｔ２で示した時点となる。
【００６３】
これにより、ｔ２の時点でエンジンEngの始動が開始される。
この図８に示す例では、エンジンEngの始動時点（ｔ２）が比較例の始動時点（ｔ０２）よりも早いタイミングとなっている。すなわち、ｔ０２の時点でエンジンEngの始動を行なった場合、変速機入力トルクTQCVTが相対的に高くなる。そして、その結果、ライン圧PLが相対的に高圧に制御されて、上記のように、サージ圧の発生により、エンジン始動性が悪化するとともに、車速の変化を招き、車両において音や振動が発生するおそれがあった。
【００６４】
それに対し、本実施の形態１では、エンジンEngの始動開始の時点を早め、相対的に変速機入力トルクTQCVTが増大する前の時点とすることにより、上述のライン圧PLの増大によるサージ圧の発生を抑えることができる。
また、エンジンEngの始動開始後の、エンジン始動中のｔ２〜ｔ３の時点では、本実施の形態１では、ステップＳ３の処理に基づいて、目標CL2トルクTQCL2の上限値は、設定入力トルクTQaをギア比ｇｒ（ｇｒｆまたはｇｒｒ）により除算した値に設定される。
これにより、目標CL2トルクTQCL2は、図８に示すように、ｔ２〜ｔ３の時点で、設定入力トルクTQaに制御されたまま移行する。このため、第１クラッチ油圧回路１０４では、作動油流量Q_CL1として、第１クラッチCL1を安定して制御することのできる作動油流量Q_CL1＞Ｑａが確保される。
よって、エンジン始動中において、上述のサージ圧の発生が防止あるいは抑制されることで、これを原因として第１クラッチCL1に、一時的に急な締結および開放動作が発生することが防止あるいは抑制される。そして、これを原因とする、モータ回転数MNの一時的な引き込まれ現象を防止あるいは抑制して、エンジン始動性の悪化や、車速の変化による音や振動の発生を、防止あるいは抑制できる。
【００６５】
（実施の形態１の効果）
以上説明した実施の形態１のハイブリッド車両の始動制御装置は、以下に列挙する効果を奏する。
１）実施の形態１のハイブリッド車両の始動制御装置は、
エンジンEngの駆動力を左右駆動輪LT,RTに伝達する駆動伝達系に設けられ、エンジン側と駆動輪側とを断接可能な第１クラッチCL1と、
駆動伝達系に対して駆動力を出力可能に駆動伝達系において第１クラッチCL1よりも駆動輪側に設置され、かつ、第１クラッチCL1の締結状態で駆動出力してエンジンEngを始動可能なモータ／ジェネレータMGと、
モータ／ジェネレータMGと左右駆動輪LT,RTとの間に介装されたた自動変速機としてのベルト式無段変速機CVTと、
モータ／ジェネレータMGにより駆動されて、吐出する作動油を、ライン圧回路１０１を介してベルト式無段変速機CVTに供給する機械式オイルポンプO/Pと、
ライン圧回路１０１に設けられ、ベルト式無段変速機CVTへの入力トルクの増大に応じてライン圧回路１０１の作動液圧を増加させるコントロールバルブとしてのライン圧レギュレータバルブ１０２と、
第２クラッチCL2を締結させたモータ／ジェネレータMGの駆動によるEV走行時におけるエンジン始動要求時には、第１クラッチCL1を締結させてエンジンEngへのトルク入力を行ってエンジンEngを始動させるエンジン始動制御を実行する始動制御部としての統合コントローラ１０と、
統合コントローラ１０に含まれ、ベルト式無段変速機CVTへの入力トルクである変速機入力トルクTQCVTを演算し、この変速機入力トルクTQCVTが、作動液圧としてのライン圧PLに基づいて予め設定された設定入力トルクTQaを越えると、エンジン始動制御を実行する始動判定部（ステップＳ１の処理を行う部分）と、
を備えていることを特徴とする。
したがって、本実施の形態１では、変速機入力トルクTQCVT(=TQCL2×gr)が設定入力トルクTQaを越えると、エンジン始動制御を実行する。
よって、エンジン始動制御時の変速機入力トルクTQCVT (=TQCL2×gr)を低く抑えることができ、ライン圧回路１０１の作動液圧を抑えることができる。
これにより、作動液圧の増大による第１クラッチCL1の締結圧不足により第１クラッチCL1の伝達トルクが不安定になることを抑制し、エンジン始動性の悪化や、音・振動の発生を抑制することができる。
【００６６】
２）実施の形態１のハイブリッド車両の始動制御装置は、
始動判定部（ステップＳ１の判定）にて用いる設定入力トルクTQaは、エンジン始動中に、第１クラッチCL1に安定して作動油を供給可能なライン圧範囲（図５のＰＬ設定範囲）に基づいて設定されていることを特徴とする。
したがって、変速機入力トルクTQCVT (=TQCL2×gr)の増大に伴いライン圧PLが上昇することにより、第１クラッチCL1への作動油の供給不足となるのを抑制あるいは防止でき、これにより、上記１）の効果をより確実に奏することが可能となる。
【００６７】
３）実施の形態１のハイブリッド車両の始動制御装置は、
モータ／ジェネレータMGとベルト式無段変速機CVTとの間に、第２クラッチCL2が介装され、
始動制御部としての統合コントローラ１０は、始動制御中の第２クラッチCL2の入力トルクの上限値を、変速機入力トルクTQCVT (=TQCL2×gr)が設定入力トルクTQa以下となるように設定する上限値設定部（Ｓ３の処理を実行する部分）を備えていることを特徴とする。
したがって、エンジン始動制御の開始後、エンジン始動制御中も、変速機入力トルクTQCVT (=TQCL2×gr)が設定入力トルクTQaを越えないようにできる。
このように、始動制御中の第２クラッチCL2の入力トルクの上限値を設定することにより、変速機入力トルクTQCVT (=TQCL2×gr)が設定入力トルクTQa以下となるように設定できる。よって、エンジンEngの始動制御中の全期間に亘って、変速機入力トルクTQCVT (=TQCL2×gr)を抑えて、上記１）２）の効果を、確実に得ることができる。
【００６８】
４）実施の形態１のハイブリッド車両の始動制御装置は、
始動制御部としての統合コントローラ１０は、始動制御中に、第２クラッチCL2の入力トルクが、上限値設定部が設定した上限値を超えないように制御する第２クラッチトルク制御部（Ｓ３の処理を実行する部分）を備えていることを特徴とする。
このように、実施の形態１では、始動制御を実行している間、第２クラッチCL2の入力トルク（目標CL2トルクTQCL2）が上限値を超えないように制御する。これにより、エンジンEngの始動制御中の全期間に亘って、上記の変速機入力トルクTQCVT(=TQCL2×gr)が設定入力トルクTQa以下とする制御を確実に達成し、上記１）〜３）の効果を得ることができる。
なお、第２クラッチCL2は、エンジン始動制御中は、スリップ状態に制御され、目標CL2トルクTQCL2が急増されることはない。よって、エンジン始動制御中に、目標CL2トルクTQCL2以上にベルト式無段変速機CVTにトルク入力を要求しなくても、ベルト伝達容量上の問題は生じない。したがって、上述のとおりに変速機入力トルクTQCVT(=TQCL2×gr)に上限値を設定して、上述の第１クラッチCL1の締結圧の安定化を図ることができる。
【００６９】
５）実施の形態１のハイブリッド車両の始動制御装置は、
始動判定部（ステップＳ１の処理における判定）は、変速機入力トルクTQCVTを、第２クラッチCL2における伝達トルクを指令する目標CL2トルクの指令値と、ベルト式無段変速機CVTの変速比（ギア比ｇｒ）と、に基づいて演算する変速機入力トルク演算部（ステップＳ１の処理を実行する部分）を備えている。
このように、変速機入力トルクTQCVTを、従来から使用される既存の目標第２クラッチトルク指令値と、予め分かっているベルト式無段変速機CVTの変速比（ギア比ｇｒ）と、に基づいて演算するため、容易に演算可能である。
【００７０】
６）実施の形態１のハイブリッド車両の始動制御装置は、
コントロールバルブとしてのライン圧レギュレータバルブ１０２は、ライン圧PLが制御圧を越えたときに、作動油をライン圧回路１０１から第１クラッチCL1へ作動油を供給する第１クラッチ油圧回路１０４に抜くバルブであることを特徴とする。
このような構造では、ベルト式無段変速機CVTの入力トルクが増大し、ライン圧PLを高めたときには、第１クラッチ油圧回路１０４へ抜かれる作動油量が減少し、第１クラッチ油圧回路１０４から第１クラッチCL1への供給油圧が不安定になる。
本実施の形態１では、上記１）２）に記載したように、変速機入力トルクTQCVTが予め設定された設定入力トルクTQaを越えると始動制御を実行することにより、第１クラッチCL1への供給油圧を安定させることが可能である。これにより、第１クラッチCL1への供給油圧が不安定になる現象の発生を抑制し、エンジンの始動性の悪化や、車両のショック、音・振動の発生抑制を図ることができる。
【００７１】
７）実施の形態１のハイブリッド車両の始動制御装置は、
第１クラッチ油圧回路１０４には、第１クラッチ油圧回路１０４の圧力を調整する第１クラッチ圧レギュレータバルブ１０５と、第１クラッチ油圧回路１０４から第１クラッチCL1へ作動油を給排して締結圧を制御する第１クラッチ圧力制御バルブ１０６と、を備え、
第１クラッチ圧レギュレータバルブ１０５は、軸方向に移動して調圧を行うスプール１０５ｓｐを備えるとともに、スプール１０５ｓｐは、第１クラッチ油圧回路１０４の圧力を減圧する作動方向に第１クラッチ油圧回路１０４のフィードバック圧を受圧する一方で、第１クラッチ油圧回路１０４の圧力を増圧する作動方向に、初期付勢力および圧力制御部（指令油圧制御部１１０）にて形成された制御パイロット圧PAを受圧することを特徴とする。
このような構造では、ライン圧回路１０１を増圧すると、第１クラッチ油圧回路１０４の油量が減って、第１クラッチ圧レギュレータバルブ１０５のスプール１０５ｓｐが受けるフィードバック圧が低下する場合がある。このため、スプール１０５ｓｐが、増圧側に変位して、第１クラッチ油圧回路１０４側の流量を増加させるよう作動する。これにより、第１クラッチ圧力制御バルブ１０６側に過大な作動油流量が生じ、これが第１クラッチCL1の出力回路１０８における締結圧変動（サージ圧）を招くおそれがある。
このような構造において、上記１）２）にて述べたように、予め設定された設定入力トルクTQaを越えるとエンジン始動制御を実行して、始動制御時に、上述のサージ圧の発生により第１クラッチCL1の締結圧変動が発生するのを抑制し、エンジンの始動性の悪化や、車両のショック、音・振動の発生を抑制できる。
【００７２】
以上、本発明の車両の制御装置を実施の形態１に基づき説明してきたが、具体的な構成については、これらの実施例に限られるものではなく、請求の範囲の各請求項に係る発明の要旨を逸脱しない限り、設計の変更や追加等は許容される。
【００７３】
例えば、実施の形態１では、ＦＦハイブリッド車両に適用した例を示したが、適用可能な車両としては、これに限定されることはなく、ＦＲハブリッド車両やパラレルハイブリッド車両用に適用することもできる。
また、実施の形態１では、第２クラッチと左右駆動輪との間にベルト式無段変速機を配置したが、変速機としては、有段の自動変速機を用いてもよい。
また、実施の形態１では、機械式オイルポンプを、第２クラッチに設けた例を示したが、この機械式オイルポンプの設置位置は、第１クラッチよりも駆動輪側であれば、この位置に限らず、変速機の内部など他の位置に設置してもよい。
また、実施の形態１では、作動液は、オイルを示したが、圧力を伝達可能な液体であれば、オイルに限定されない。
また、実施の形態では、モータと自動変速機との間に第２クラッチを設けた例を示したが、モータと変速機とが直結されたものにも適用することができる。
また、実施の形態１では、変速機入力トルクが設定トルクを越えて、始動制御を開始した後、変速機入力トルクが設定トルクを越えないように第２クラッチをトルク制御する例を示したが、これに限定されない。例えば、変速機入力トルクが設定トルクを越えて、始動制御を開始したら、ドライバ要求トルクに応じた傾きよりも緩やかな傾きで目標CL2トルクが上昇するように制限を与えて上昇させるようにしてもよい。
【関連出願の相互参照】
【００７４】
本出願は、２０１２年１０月４日に日本国特許庁に出願された特願２０１２−２２１９６６に基づいて優先権を主張し、その全ての開示は完全に本明細書で参照により組み込まれる。
【図１】
2014054724.tif 000003
【図２】
2014054724.tif 000004
【図３】
2014054724.tif 000005
【図４】
2014054724.tif 000006
【図５】
2014054724.tif 000007
【図６】
2014054724.tif 000008
【図７】
2014054724.tif 000009
【図８】
2014054724.tif 000010
【手続補正書】
【提出日】平成27年11月24日(2015.11.24)
【手続補正１】
【補正対象書類名】明細書
【補正対象項目名】００５０
【補正方法】変更
【補正の内容】
【００５０】
以下に、図６のフローチャートに基づいて、変速機入力トルクTQCVTに応じたエンジン始動制御について説明する。
ステップＳ１では、変速機入力トルクTQCVTを演算し、変速機入力トルクTQCVTが、設定入力トルクTQaを越えたか否か判定し、越えない場合には、非始動と判定して、ステップＳ１の判定を繰り返す。一方、変速機入力トルクTQCVTが、設定入力トルクTQaを越えた場合は、ステップＳ２のエンジン始動制御を開始する。
【手続補正２】
【補正対象書類名】図面
【補正対象項目名】図５
【補正方法】変更
【補正の内容】
【図５】
2014054724.tif 000011
【国際調査報告】
2014054724.tif 000012
2014054724.tif 000013